(57)【要約】【課題】第１容器、第２容器、第３容器に対して上側緩衝体及び下側緩衝体を夫々共通化し、且つ上側緩衝体及び下側緩衝体により第１容器、第２容器、第３容器を安定的に支持する緩衝支持構造を提供する。【解決手段】第１容器１、第２容器、第３容器から選択した１つの容器をダンボール箱に収納する際に用いられ、容器の上端部に外嵌する発泡材の上側緩衝体２１と、容器の底部に外嵌する発泡材の下側緩衝体２２とからなる緩衝支持構造であって、  上側緩衝体２１は、上方周囲部２３と天井架橋部２４とを備え、  下側緩衝体２２は、下方周囲部３８と底面部３９とを備え、  上側緩衝体２１の天井架橋部２４は、平面状の架橋裏面２９を形成する中央部３１と、中央部３１から上方周囲部２３まで延在する延在部３２とを備える。【選択図】図５
0003141376.tif 000002
【実用新案登録請求の範囲】
【請求項１】
上面の全体に上方平坦面を有し且つ下面の全体に下方平坦面を有する第１容器と、上面の全体に上方平坦面を有し且つ下面の周側に突出脚を有する第２容器と、上面の中央に中央平坦面を有して周側に突出部を備え且つ下面の全体に下方平坦面を有する第３容器とから選択した１つの容器を単一矩形状のダンボール箱に収納する際に用いられ、容器の上端部に外嵌する発泡材の上側緩衝体と、容器の底部に外嵌する発泡材の下側緩衝体とからなる緩衝支持構造であって、
前記上側緩衝体は、容器の上方で容器の周囲面を囲む上方周囲部と、該上方周囲部に対して径方向に延在して接続する天井架橋部とを備え、
前記下側緩衝体は、容器の下方で容器の周囲面を囲む下方周囲部と、該下方周囲部から延在し容器の底部を支持し得る底面部とを備え、
前記上側緩衝体の天井架橋部は、平面状の架橋裏面を形成する中央部と、該中央部から上方周囲部まで延在する延在部とを備え、上側緩衝体を第１容器または第２容器に外嵌した際には平面状の架橋裏面が第１容器または第２容器の上方平坦面に当接すると共に、上側緩衝体を第３容器に外嵌した際には上方からの応力により延在部が湾曲して平面状の架橋裏面が第３容器の中央平坦面に当接し、
前記下側緩衝体の底面部は、平面状の支持面を形成する底部支持部と、該底部支持部に形成されて突出脚に対応する凹状支持部とを備え、下側緩衝体を第１容器または第３容器に外嵌した際には平面状の支持面が第１容器または第３容器の下方平坦面を支持すると共に、下側緩衝体を第２容器に外嵌した際には凹状支持部が第２容器の突出脚を支持するように構成したことを特徴とする緩衝支持構造。
【請求項２】
前記天井架橋部は、中央部と延在部との間に湾曲用の凹部を備えたことを特徴とする請求項１に記載の緩衝支持構造。
【請求項３】
前記天井架橋部の中央部は、上側緩衝体を第３容器に配置してダンボール箱に収納した際に、ダンボール箱により応力を受ける中央上部面を備えると共に、前記天井架橋部の延在部は、中央部の中央上部面から側方へ下り傾斜の延在上部面を持つことを特徴とする請求項１または２に記載の緩衝支持構造。
【請求項４】
前記上側緩衝体の四隅には、容器に配置してダンボール箱に収納した際にダンボール箱の内面に当接する上側外方支持部を備えたことを特徴とする請求項１〜３のいずれかに記載の緩衝支持構造。
【請求項５】
前記下側緩衝体の四隅には、容器に配置してダンボール箱に収納した際にダンボール箱の内面に当接する下側外方支持部を備えたことを特徴とする請求項１〜３のいずれかに記載の緩衝支持構造。
【考案の詳細な説明】
【技術分野】
【０００１】
本考案は、容器をダンボール箱に収容する緩衝支持構造に関するものである。
【背景技術】
【０００２】
一般にシリコンウエハを搬送する際には、複数枚のシリコンウエハを収納する容器と、容器の上端部に外嵌する上側緩衝体と、容器の底部に外嵌する下側緩衝体と、上側緩衝体及び下側緩衝体を介して容器を収納する矩形状のダンボール箱とを用いている。
【０００３】
容器は、第１容器（図１１参照）１、第２容器２（図１４参照）、第３容器３（図１５参照）の複数の形状がある。このうち第１容器１は、図１１〜図１３に示す如く、複数枚のシリコンウエアを内部に配置する容器本体４と、ロック機構（図示せず）を設けた蓋部５とを備え、容器本体４は、下面（底部）６と４面の周囲面７とからなる胴部８と、胴部８の上端で胴部８の周囲面７より一回り大きく形成され且つ蓋部５を内嵌し得る上側縁部（上端部）９と、胴部８の背側に略垂直状の座面を形成する背面部１０とを備えている。ここで、第１容器１は、蓋部５の上面１１の全体に上方平坦面１１ａを有し且つ胴部８の下面６の全体に下方平坦面６ａを有している。また、胴部８の内部には、複数のシリコンウエハ（図示せず）を背面部１０の座面と略平行で一定の間隔で配置する支持部材（図示せず）が形成されている。更に、背面部１０は、上端の長さを上側縁部９の一辺に合せるように上側縁部９に接続していると共に側端を胴部８から張り出すように形成している。
【０００４】
このような第１容器１にシリコンウエハ（図示せず）を収納して搬送する際には、複数のシリコンウエハを容器本体４の胴部８内に一定の間隔で背面部１０の座面と略平行に配置し、上側縁部９に蓋部５を嵌入して内部を密閉し、第１容器１をポリ袋（図示せず）に入れて更に耐湿性の袋（図示せず）に入れ、第１容器１の上側縁部９にポリ袋及び耐湿性の袋を介して上側緩衝体（図示せず）を外嵌すると共に第１容器１の底部にポリ袋及び耐湿性の袋を介して下側緩衝体（図示せず）を外嵌し、第１容器１を上側緩衝体及び下側緩衝体を伴ってダンボール箱（図示せず）に入れ、上側緩衝体及び下側緩衝体をダンボール箱の内面に当接させて第１容器１を支持し、シリコンウエハを搬送している。
【０００５】
その後、シリコンウエハを取り出す際には、ダンボール箱から上側緩衝体及び下側緩衝体を伴って第１容器１を取り出し、第１容器１から上側緩衝体及び下側緩衝体を取り外し、更に第１容器１を耐湿性の袋及びポリ袋から取り出した後、第１容器１を背面部１０の座面で載置して横向きにし、蓋部５を取り外して容器本体４を横向きに開放し、胴部８内に配置されたシリコンウエハを載置面と略平行に取り出している。
【０００６】
一方、第２容器２は、図１４に示す如く第１容器１の容器本体４を変形したものであり、第２容器２の容器本体１２は胴部８の下面６の周側（四隅）に突出脚６ｂを形成し且つ胴部８の下面６の中央に中央平坦面６ｃを有している。また、第２容器２は、蓋部５の上面の全体に上方平坦面１１ａを有している。ここで、胴部８の突出脚６ｂは、下面６の周側に形成されるものならば、周方向に沿って突出するものでも良いし、他の形状でも良い。
【０００７】
このような第２容器２にシリコンウエハを収納して搬送する際には、第１容器１と略同様に第２容器２にシリコンウエハを収納してポリ袋及び耐湿性の袋に入れ、第２容器２を上側緩衝体及び下側緩衝体を伴ってダンボール箱に入れ、シリコンウエハを搬送しており、搬送後にシリコンウエハを取り出す際には、第１容器１と略同様に、第２容器２を背面部１０の座面で載置して横向きにし、シリコンウエハを載置面と略平行に取り出している。
【０００８】
また、第３容器３は、図１５に示す如く第１容器１の蓋部５を変形したものであり、第３容器３の蓋部１３は、上面１１の周側（周囲方向）に沿って突出部１１ｂを備え且つ上面１１の中央に中央平坦面１１ｃを有している。また、容器本体４は、胴部８の下面６の全体に下方平坦面６ａを有している。ここで、蓋部５の突出部１１ｂは、上面１１の周側に形成されるならば、隅部等に形成されるものでも良いし、他の形状でも良い。
【０００９】
このような第３容器３にシリコンウエハを収納して搬送する際には、第１容器１と略同様に第３容器３にシリコンウエハを収納してポリ袋及び耐湿性の袋に入れ、第３容器３を上側緩衝体及び下側緩衝体を伴ってダンボール箱に入れ、シリコンウエハを搬送しており、搬送後にシリコンウエハを取り出す際には、第１容器１と略同様に、第３容器３を背面部１０の座面で載置して横向きにし、シリコンウエハを載置面と略平行に取り出している。
【考案の開示】
【考案が解決しようとする課題】
【００１０】
しかしながら、このように第１容器１、第２容器２、第３容器３にシリコンウエハを収納して搬送する際には、第１容器１、第２容器２、第３容器３の異なる構造に対応するように上側緩衝体及び下側緩衝体を複数種類で準備する必要があるため、上側緩衝体及び下側緩衝を準備する手間や製造コストが掛かるという問題があった。
【００１１】
本考案は、上述の実情に鑑み、第１容器１、第２容器、第３容器に対して上側緩衝体及び下側緩衝体を夫々共通化し、且つ上側緩衝体及び下側緩衝体により第１容器、第２容器、第３容器を安定的に支持する緩衝支持構造を提供することを目的とするものである。
【課題を解決するための手段】
【００１２】
本考案は、上面の全体に上方平坦面を有し且つ下面の全体に下方平坦面を有する第１容器と、上面の全体に上方平坦面を有し且つ下面の周側に突出脚を有する第２容器と、上面の中央に中央平坦面を有して周側に突出部を備え且つ下面の全体に下方平坦面を有する第３容器とから選択した１つの容器を単一矩形状のダンボール箱に収納する際に用いられ、容器の上端部に外嵌する発泡材の上側緩衝体と、容器の底部に外嵌する発泡材の下側緩衝体とからなる緩衝支持構造であって、
前記上側緩衝体は、容器の上方で容器の周囲面を囲む上方周囲部と、該上方周囲部に対して径方向に延在して接続する天井架橋部とを備え、
前記下側緩衝体は、容器の下方で容器の周囲面を囲む下方周囲部と、該下方周囲部から延在し容器の底部を支持し得る底面部とを備え、
前記上側緩衝体の天井架橋部は、平面状の架橋裏面を形成する中央部と、該中央部から上方周囲部まで延在する延在部とを備え、上側緩衝体を第１容器または第２容器に外嵌した際には平面状の架橋裏面が第１容器または第２容器の上方平坦面に当接すると共に、上側緩衝体を第３容器に外嵌した際には上方からの応力により延在部が湾曲して平面状の架橋裏面が第３容器の中央平坦面に当接し、
前記下側緩衝体の底面部は、平面状の支持面を形成する底部支持部と、該底部支持部に形成されて突出脚に対応する凹状支持部とを備え、下側緩衝体を第１容器または第３容器に外嵌した際には平面状の支持面が第１容器または第３容器の下方平坦面を支持すると共に、下側緩衝体を第２容器に外嵌した際には凹状支持部が第２容器の突出脚を支持するように構成したことを特徴とする緩衝支持構造、にかかるものである。
【００１３】
本考案において、前記天井架橋部は、中央部と延在部との間に湾曲用の凹部を備えることが好ましい。
【００１４】
本考案において、前記天井架橋部の中央部は、上側緩衝体を第３容器に配置してダンボール箱に収納した際に、ダンボール箱により応力を受ける中央上部面を備えると共に、前記天井架橋部の延在部は、中央部の中央上部面から側方へ下り傾斜の延在上部面を持つことが好ましい。
【００１５】
本考案において、前記上側緩衝体の四隅には、容器に配置してダンボール箱に収納した際にダンボール箱の内面に当接する上側外方支持部を備えることが好ましい。
【００１６】
本考案において、前記下側緩衝体の四隅には、容器に配置してダンボール箱に収納した際にダンボール箱の内面に当接する下側外方支持部を備えることが好ましい。
【考案の効果】
【００１７】
以上説明したように、本考案の緩衝支持構造によれば第１容器、第２容器、第３容器に対して上側緩衝体及び下側緩衝体を夫々共通化して用いるので、上側緩衝体及び下側緩衝体を準備する手間や製造コストを低減することができる。また、第１容器、第２容器、第３容器から選択した１つの容器を、共通化した上側緩衝体、下側緩衝体を介してダンボール箱内に安定的に支持することができるという優れた効果を奏し得る。
【考案を実施するための最良の形態】
【００１８】
以下、本考案の実施の形態を図面に基いて説明する。
【００１９】
図１〜図１０は本考案を実施する形態例を示すもので、図１１〜図１５と同一の符号を付した部分は同一物を表わしている。
【００２０】
本形態例の緩衝支持構造は、第１容器１と、第２容器２と、第３容器３とから選択した１つの容器に対応するよう、容器の上端部に外嵌する発泡材の上側緩衝体２１と、容器の底部に外嵌する発泡材の下側緩衝体２２とを夫々共通化して備えている。
【００２１】
上側緩衝体２１は、容器の上方で容器の周囲面７及び上面１１の周縁に対応する枠体の上方周囲部２３と、上方周囲部２３の枠体に対して径方向（枠体の中心を通り且つ対向する辺を橋し渡す方向）に延在して接続する天井架橋部２４と、上方周囲部２３の四隅で外方へ突出する上側外方支持部２５とを備えている。
【００２２】
上側緩衝体２１の上方周囲部２３は、四角形に周回する側方部材２６と、側方部材２６の上端に所定幅で形成される上面部材２７とを備えて平面中央に開口部２８を形成しており、側方部材２６の内面両側（天井架橋部２４の延在方向と平行な面側）には、内方へ突出する支持面２６ａが備えられている。
【００２３】
上側緩衝体２１の天井架橋部２４は、平面状の架橋裏面２９及び平面状の中央上部面３０を形成する中央部３１と、中央部３１の両端から上方周囲部２３の上面部材２７まで直線状に延在する延在部３２とを備えている。中央部３１は、架橋裏面２９が開口部２８で上面部材２７の裏面と略同じ高さに位置し且つ中央上部面３０が上面部材２７よりも上方に突出するように所定の厚みを備えて形成されている。延在部３２は、上面部材２７の表面で上方周囲部２３に一体化しており、また、延在部３２は、上方の延在上部面３３が中央部３１の中央上部面３０から側方へ下り傾斜を持つように形成されている。更に、中央部３１と延在部３２との間には、開口部２８寄りの位置で上方から下方へ向かう湾曲用の凹部３４が形成されている。
【００２４】
上側緩衝体２１の上側外方支持部２５は、上方周囲部２３の側方部材２６の外面辺に、夫々の両端位置から側方（上方周囲部２３から離間する方向）へ突出する第１突出部材３５、第２突出部材３６を備えると共に、上方周囲部２３の上面部材２７の角部（隅部）に、夫々の上面位置から上方（上方周囲部２３から離間する方向）へ突出する第３突出部材３７を備え、上側緩衝体２１の四隅に夫々３つの突出形状を構成するようにしている。
【００２５】
一方、下側緩衝体２２は、容器の下方で容器の周囲面７に対応する下方周囲部３８と、下方周囲部３８から延在して容器の底部に対応する底面部３９と、下方周囲部３８及び底面部３９の四隅で外方へ突出する下側外方支持部４０とを備えている。
【００２６】
下側緩衝体２２の下方周囲部３８は、四角形に周回する周回部材４１で形成されており、周回部材４１の内面には、内方へ突出する支持面４１ａが備えられていると共に、容器の側面の傾斜に対応して容器の側面を支持し得るよう突出する支持体４１ｂが備えられている。
【００２７】
下側緩衝体２２の底面部３９は、下方周囲部３８の下端で平面状の支持面４２ａを形成する底部支持部４２と、底部支持部４２の支持面４２ａの四隅で上方から下方へ凹むように形成される凹状支持部４３と、底部支持部４２の中央に形成される複数の開口部４４（図３、図４では２個）とを備えている。ここで、凹状支持部４３は、底面を平面に形成して第２容器２の突出脚６ｂを載置可能にしている。
【００２８】
下側緩衝体２２の下側外方支持部４０は、下方周囲部３８の周回部材４１の外面辺に、夫々の両端位置から側方（下方周囲部３８から離間する方向）へ突出する第４突出部材４５、第５突出部材４６を備えると共に、底面部３９の底部支持部４２の角部（隅部）に、夫々の下面位置から下方（下方周囲部３８から離間する方向）へ突出する第６突出部材４７を備え、下側緩衝体２２の夫々の隅部に３つの突出形状を構成するようにしている。
【００２９】
ここで、上側緩衝体２１及び下側緩衝体２２は、オレフィン系発泡材等の発泡材で構成されており、可撓性を有している。なお、発泡材の種類は可撓性を有するならば特に制限されるものではない。
【００３０】
以下、本考案を実施する形態例の作用を説明する。
【００３１】
上側緩衝体２１及び下側緩衝体２２を用いて第１容器１にシリコンウエハ（図示せず）を収納して搬送する際には、複数のシリコンウエハを容器本体４の胴部８内に一定の間隔で背面部１０の座面と略平行に配置し、上側縁部９に蓋部５を嵌入して内部を密閉し、第１容器１をポリ袋（図示せず）に入れて更に耐湿性の袋（図示せず）に入れ、第１容器１の上側縁部（上端部）９にポリ袋及び耐湿性の袋を介して上側緩衝体２１を外嵌すると共に第１容器１の底部にポリ袋及び耐湿性の袋を介して下側緩衝体２２を外嵌し、第１容器１を上側緩衝体２１及び下側緩衝体２２を伴ってダンボール箱（図示せず）に入れ、上側緩衝体２１及び下側緩衝体２２をダンボール箱の内面に当接させて第１容器１を支持し、シリコンウエハを搬送する。
【００３２】
この時、上側緩衝体２１は、天井架橋部２４の中央部３１が平面状の架橋裏面２９で第１容器１の上方平坦面１１ａに当接して第１容器１を支持していると共に、上方周囲部２３の支持面２６ａが第１容器１の上側縁部９及び背面部１０に当接して第１容器１を支持している。ここで、天井架橋部２４の中央部３１は、上側緩衝体２１を第１容器１に外嵌した際に第１容器１の上方平坦面１１ａに当接しても良いし、ダンボール箱に収納した際にダンボール箱からの応力により第１容器１の上方平坦面１１ａに当接しても良い。また、上方周囲部２３の支持面２６ａは、図６に示す如く第１容器１の上側縁部９及び背面部１０と僅かな隙間を有してダンボール箱に収納した際にダンボール箱からの応力により第１容器１の上側縁部９及び背面部１０に当接しても良いし、上側緩衝体２１を第１容器１に外嵌した際に第１容器１の上側縁部９及び背面部１０に当接しても良い。なお、上側緩衝体２１が第１容器１に当接する際には全てポリ袋及び耐湿性の袋を介している。
【００３３】
また、下側緩衝体２２は、底面部３９の平面状の支持面４２ａが第１容器１の下方平坦面６ａに当接して第１容器１を支持していると共に、下方周囲部３８の支持面４１ａ及び支持体４１ｂが第１容器１の胴部８に当接して第１容器１を支持している。ここで、底面部３９の支持面４２ａは、下側緩衝体２２を第１容器１に外嵌した際に第１容器１の下方平坦面６ａに当接しても良いし、ダンボール箱に収納した際にダンボール箱からの応力により第１容器１の下方平坦面６ａに当接しても良い。また、下方周囲部３８の支持面４１ａ及び支持体４１ｂは、図５、図６に示す如く第１容器１の胴部８と僅かな隙間を有してダンボール箱に収納した際にダンボール箱からの応力により第１容器１の胴部８に当接しても良いし、下側緩衝体２２を第１容器１に外嵌した際に第１容器１の胴部８に当接しても良い。なお、下側緩衝体２２が第１容器１に当接する際には上側緩衝体２１と同様に全てポリ袋及び耐湿性の袋を介している。
【００３４】
更に、上側緩衝体２１は、上側外方支持部２５の第１突出部材３５、第２突出部材３６、第３突出部材３７がダンボール箱の内面に当接していると共に、下側緩衝体２２は、下側外方支持部４０の第４突出部材４５、第５突出部材４６、第６突出部材４７がダンボール箱の内面に当接している。
【００３５】
その後、シリコンウエハを取り出す際には、ダンボール箱から上側緩衝体２１及び下側緩衝体２２を伴って第１容器１を取り出し、第１容器１から上側緩衝体２１及び下側緩衝体２２を取り外し、更に第１容器１を耐湿性の袋及びポリ袋から取り出した後、第１容器１を背面部１０の座面で載置して横向きにし、蓋部５を取り外して容器本体４を横向きに開放し、胴部８内に配置されたシリコンウエハを載置面と略平行に取り出す。
【００３６】
一方、図７、図８に示す如く、同一の上側緩衝体２１及び下側緩衝体２２を用いて第２容器２にシリコンウエハを収納して搬送する際には、複数のシリコンウエハを容器本体１２の胴部８内に一定の間隔で背面部１０の座面と略平行に配置し、上側縁部９に蓋部５を嵌入して内部を密閉し、第２容器２をポリ袋（図示せず）に入れて更に耐湿性の袋（図示せず）に入れ、第２容器２の上側縁部（上端部）９にポリ袋及び耐湿性の袋を介して上側緩衝体２１を外嵌すると共に第２容器２の底部にポリ袋及び耐湿性の袋を介して下側緩衝体２２を外嵌し、第２容器２を上側緩衝体２１及び下側緩衝体２２を伴ってダンボール箱に入れ、上側緩衝体２１及び下側緩衝体２２をダンボール箱の内面に当接させて第２容器２を支持し、シリコンウエハを搬送する。
【００３７】
この時、上側緩衝体２１は、天井架橋部２４の中央部３１が平面状の架橋裏面２９で第２容器２の上方平坦面１１ａに当接して第２容器２を支持していると共に、上方周囲部２３の支持面２６ａが第２容器２の上側縁部９に当接して第２容器２を支持している。ここで、天井架橋部２４の中央部３１は、上側緩衝体２１を第２容器２に外嵌した際に第２容器２の上方平坦面１１ａに当接しても良いし、ダンボール箱に収納した際にダンボール箱からの応力により第２容器２の上方平坦面１１ａに当接しても良い。また、上方周囲部２３の支持面２６ａは、図８に示す如く第２容器２の上側縁部９と僅かな隙間を有してダンボール箱に収納した際にダンボール箱からの応力により第２容器２の上側縁部９及び背面部１０に当接しても良いし、上側緩衝体２１を第２容器２に外嵌した際に第２容器２の上側縁部９及び背面部１０に当接しても良い。なお、上側緩衝体２１が第２容器２に当接する際には第１容器１と同様に全てポリ袋及び耐湿性の袋を介している。
【００３８】
また、下側緩衝体２２は、底面部３９の凹状支持部４３が第２容器２の突出脚６ｂを載置させて支持すると共に、底面部３９の平面状の支持面４２ａが第２容器２の中央平坦面６ｃに当接して第２容器２を支持しており、更に下方周囲部３８の支持面４１ａ及び支持体４１ｂが第２容器２の胴部８に当接して第２容器２を支持している。ここで、底面部３９の凹状支持部４３は、下側緩衝体２２を第２容器２に外嵌した際に第２容器２の突出脚６ｂを載置させても良いし、ダンボール箱に収納した際にダンボール箱からの応力により第２容器２の突出脚６ｂを載置させても良い。また、底面部３９の平面状の支持面４２ａは、下側緩衝体２２を第２容器２に外嵌した際に第２容器２の中央平坦面６ｃに当接しても良いし、ダンボール箱に収納した際にダンボール箱からの応力により第２容器２の中央平坦面６ｃに当接しても良い。更に、下方周囲部３８の支持面４１ａ及び支持体４１ｂは、図７、図８に示す如く第２容器２の胴部８と僅かな隙間を有してダンボール箱に収納した際にダンボール箱からの応力により第２容器２の胴部８に当接しても良いし、下側緩衝体２２を第２容器２に外嵌した際に第２容器２の胴部８に当接しても良い。なお、下側緩衝体２２が第２容器２に当接する際には上側緩衝体２１と同様に全てポリ袋及び耐湿性の袋を介している。
【００３９】
更に、上側緩衝体２１は、上側外方支持部２５の第１突出部材３５、第２突出部材３６、第３突出部材３７がダンボール箱の内面に当接していると共に、下側緩衝体２２は、下側外方支持部４０の第４突出部材４５、第５突出部材４６、第６突出部材４７がダンボール箱の内面に当接している。
【００４０】
その後、シリコンウエハを取り出す際には、ダンボール箱から上側緩衝体２１及び下側緩衝体２２を伴って第２容器２を取り出し、第２容器２から上側緩衝体２１及び下側緩衝体２２を取り外し、更に第２容器２を耐湿性の袋及びポリ袋から取り出した後、第２容器２を背面部１０の座面で載置して横向きにし、蓋部５を取り外して容器本体１２を横向きに開放し、胴部８内に配置されたシリコンウエハを載置面と略平行に取り出す。
【００４１】
一方、図９、図１０に示す如く、同一の上側緩衝体２１及び下側緩衝体２２を用いて第３容器３にシリコンウエハを収納して搬送する際には、複数のシリコンウエハを容器本体４の胴部８内に一定の間隔で背面部１０の座面と略平行に配置し、上側縁部９に蓋部５を嵌入して内部を密閉し、第３容器３をポリ袋（図示せず）に入れて更に耐湿性の袋（図示せず）に入れ、第３容器３の上側縁部（上端部）９にポリ袋及び耐湿性の袋を介して上側緩衝体２１を外嵌すると共に第３容器３の底部にポリ袋及び耐湿性の袋を介して下側緩衝体２２を外嵌し、第３容器３を上側緩衝体２１及び下側緩衝体２２を伴ってダンボール箱に入れ、上側緩衝体２１及び下側緩衝体２２をダンボール箱の内面に当接させて第３容器３を支持し、シリコンウエハを搬送する。
【００４２】
この時、上側緩衝体２１は、ダンボール箱に収納してダンボール箱の面により上方からの応力が作用した際に、天井架橋部２４が中央部３１の中央上部面３０で応力を受け、天井架橋部２４の凹部３４の構造及び可撓性の発泡材の材質により延在部３２が湾曲して中央部３１を下方に押し下げ、中央部３１が平面状の架橋裏面２９で第３容器３の中央平坦面１１ｃに当接して第３容器３を支持している。同時に、延在部３２の延在上部面３３は、湾曲した際に、側方への下り傾斜が、図９、図１０に示す如く略水平になり、上方からの応力を略全面で受けるようになっている。また、延在部３２が湾曲した際には、延在部３２の下面に位置する上方周囲部２３の上面部材２７が湾曲し、第３容器３の突出部１１ｂに当接して第３容器３を支持している。更に、上方周囲部２３の支持面２６ａが第３容器３の上側縁部９及び背面部１０に当接して第３容器３を支持している。ここで、上方周囲部２３の支持面２６ａは、図１０に示す如く第３容器３の上側縁部９及び背面部１０と僅かな隙間を有してダンボール箱に収納した際にダンボール箱からの応力により第３容器３の上側縁部９及び背面部１０に当接しても良いし、上側緩衝体２１を第３容器３に外嵌した際に第３容器３の上側縁部９及び背面部１０に当接しても良い。なお、上側緩衝体２１が第３容器３に当接する際には第１容器１と同様に全てポリ袋及び耐湿性の袋を介している。
【００４３】
また、下側緩衝体２２は、底面部３９の平面状の支持面４２ａが第３容器３の下方平坦面６ａに当接して第３容器３を支持していると共に、下方周囲部３８の支持面４１ａ及び支持体４１ｂが第３容器３の胴部８に当接して第３容器３を支持している。ここで、底面部３９の支持面４１ａは、下側緩衝体２２を第３容器３に外嵌した際に第３容器３の下方平坦面６ａに当接しても良いし、ダンボール箱に収納した際にダンボール箱からの応力により第３容器３の下方平坦面６ａに当接しても良い。また、下方周囲部３８の支持面４１ａ及び支持体４１ｂは、図９、図１０に示す如く第３容器３の胴部８と僅かな隙間を有してダンボール箱に収納した際にダンボール箱からの応力により第３容器３の胴部８に当接しても良いし、下側緩衝体２２を第３容器３に外嵌した際に第３容器３の胴部８に当接しても良い。なお、下側緩衝体２２が第３容器３に当接する際には上側緩衝体２１と同様に全てポリ袋及び耐湿性の袋を介している。
【００４４】
更に、上側緩衝体２１は、上側外方支持部２５の第１突出部材３５、第２突出部材３６、第３突出部材３７がダンボール箱の内面に当接していると共に、下側緩衝体２２は、下側外方支持部４０の第４突出部材４５、第５突出部材４６、第６突出部材４７がダンボール箱の内面に当接している。
【００４５】
その後、シリコンウエハを取り出す際には、ダンボール箱から上側緩衝体２１及び下側緩衝体２２を伴って第３容器３を取り出し、第３容器３から上側緩衝体２１及び下側緩衝体２２を取り外し、第３容器３を背面部１０の座面で載置して横向きにし、蓋部５を取り外して容器本体４を横向きに開放し、胴部８内に配置されたシリコンウエハを載置面と略平行に取り出す。
【００４６】
このように、本形態例の緩衝支持構造によれば、第１容器１、第２容器２、第３容器３に対して上側緩衝体２１及び下側緩衝体２２を夫々共通化して用いるので、上側緩衝体２１及び下側緩衝体２２を準備する手間を低減すると共に製造コストの上昇を抑制することができる。
【００４７】
また、第１容器１、第２容器２、第３容器３から選択した１つの容器を上側緩衝体２１、下側緩衝体２２を介して単一矩形状のダンボール箱に収納する際に、第１容器１、第２容器２、第３容器３の上面１１及び下面６が異なる構造であっても、上側緩衝体２１は、第１容器１、第２容器２の場合に天井架橋部２４の中央部３１の架橋裏面２９が第１容器１、第２容器２の上方平坦面１１ａに当接すると共に、第３容器３の場合に天井架橋部２４の延在部３２が湾曲して中央部３１の架橋裏面２９が第３容器３の中央平坦面１１ｃに当接する。また、下側緩衝体２２は、第１容器１、第３容器３の場合に平面状の支持面４２ａが第１容器１、第３容器３の下方平坦面６ａに当接すると共に、第２容器２の場合に凹状支持部４３が第２容器２の突出脚６ｂを載置させる。これにより、第１容器１、第２容器２、第３容器３から選択した１つの容器を、共通化した上側緩衝体２１、下側緩衝体２２を介してダンボール箱内に安定的に支持することができる。
【００４８】
本形態例において、天井架橋部２４は、中央部３１と延在部３２との間に湾曲用の凹部３４を備えると、第３容器３に上側緩衝体２１を配置した際に天井架橋部２４の延在部３２が凹部３４により容易に湾曲するので、中央部３１の架橋裏面２９が第３容器３の中央平坦面１１ｃに適切に当接して第３容器３を上側緩衝体２１、下側緩衝体２２を介してダンボール箱内に一層安定的に支持することができる。
【００４９】
本形態例において、天井架橋部２４の中央部３１は、上側緩衝体２１を第３容器３に配置してダンボール箱に収納した際に、ダンボール箱により応力を受ける中央上部面３０を備えると共に、天井架橋部２４の延在部３２は、中央部３１の中央上部面３０から側方へ下り傾斜の延在上部面３３を持つと、天井架橋部２４の中央部３１は、中央上部面３０により応力を確実に受けて天井架橋部２４の延在部３２を湾曲させるので、中央部３１の架橋裏面２９が第３容器３の中央平坦面１１ｃに容易に当接し、第３容器３を上側緩衝体２１、下側緩衝体２２を介してダンボール箱内に一層安定的に支持することができる。また、天井架橋部２４の延在部３２は、中央部３１の中央上部面３０から側方へ下り傾斜の延在上部面３３を持つので、中央部３１の架橋裏面２９を第３容器３の上側緩衝体２１に当接するよう延在部３２を湾曲した際には、延在部３２の延在上部面３３が、中央部３１の中央上面部３０と略同じ高さで且つ略水平になり、ダンボール箱から応力を好適に受けて第３容器３を上側緩衝体２１、下側緩衝体２２を介してダンボール箱内に一層安定的に支持することができる。
【００５０】
本形態例において、上側緩衝体２１の四隅には、容器に配置してダンボール箱に収納した際にダンボール箱の内面に当接する上側外方支持部２５を備えると、容器に上側緩衝体２１を配置してダンボール箱に収納した際に上側外方支持部２５がダンボール箱の内面に当接するので、容器を上側緩衝体２１を介してダンボール箱内に一層安定的に支持することができる。
【００５１】
本形態例において、下側緩衝体２２の四隅には、容器に配置してダンボール箱に収納した際にダンボール箱の内面に当接する下側外方支持部４０を備えると、容器に下側緩衝体２２を配置してダンボール箱に収納した際に下側外方支持部４０がダンボール箱の内面に当接するので、容器を下側緩衝体２２を介してダンボール箱内に一層安定的に支持することができる。
【００５２】
なお、本考案は、上述の実施の形態にのみ限定されるものではなく、上側緩衝体及び下側緩衝体は、上記の構造を備えて同じ作用効果を備えるならば、他の凹凸等の構造を備えても良いこと、その他、本考案の要旨を逸脱しない範囲内において種々変更を加え得ることは勿論である。
【図面の簡単な説明】
【００５３】
【図１】本考案の実施の形態における上側緩衝体を表側から見た状態を示す斜視図である。
【図２】本考案の実施の形態における上側緩衝体を裏側から見た状態を示す斜視図である。
【図３】本考案の実施の形態における下側緩衝体を表側から見た状態を示す斜視図である。
【図４】本考案の実施の形態における下側緩衝体を示す平面図である。
【図５】本考案の実施の形態において第１容器に上側緩衝体及び下側緩衝体を外嵌した状態を示す断面図である。
【図６】図５のＶＩ−ＶＩ方向矢視図である。
【図７】本考案の実施の形態において第２容器に上側緩衝体及び下側緩衝体を外嵌した状態を示す断面図である。
【図８】図７のＶＩＩＩ−ＶＩＩＩ方向矢視図である。
【図９】本考案の実施の形態において第３容器に上側緩衝体及び下側緩衝体を外嵌した状態を示す断面図である。
【図１０】図９のＸ−Ｘ方向矢視図である。
【図１１】第１容器を示す概略側面図である。
【図１２】第１容器を示す概略正面図である。
【図１３】第１容器を示す概略平面図である。
【図１４】第２容器を示す概略側面図である。
【図１５】第３容器を示す概略側面図である。
【符号の説明】
【００５４】
１    第１容器
２    第２容器
３    第３容器
６    下面（底部）
６ａ  下方平坦面
６ｂ  突出脚
７    周囲面
９    上側縁部（上端部）
１１    上面
２１    上側緩衝体
２２    下側緩衝体
２３    上方周囲部
２４    天井架橋部
２５    上側外方支持部
２９    架橋裏面
３０    中央上部面
３１    中央部
３２    延在部
３３    延在上部面
３４    凹部
３８    下方周囲部
３９    底面部
４０    下側外方支持部
４２    底部支持部
４２ａ  支持面
４３    凹状支持部
【図１】
0003141376.tif 000003
【図２】
0003141376.tif 000004
【図３】
0003141376.tif 000005
【図４】
0003141376.tif 000006
【図５】
0003141376.tif 000007
【図６】
0003141376.tif 000008
【図７】
0003141376.tif 000009
【図８】
0003141376.tif 000010
【図９】
0003141376.tif 000011
【図１０】
0003141376.tif 000012
【図１１】
0003141376.tif 000013
【図１２】
0003141376.tif 000014
【図１３】
0003141376.tif 000015
【図１４】
0003141376.tif 000016
【図１５】
0003141376.tif 000017